(57)【要約】      （修正有）【課題】ランドセルの前ポケット部に収納する収容物を整理よく収納可能としたランドセル用前ポケットを提供する。【解決手段】主収納部、副収納部および前ポケットからなるランドセル本体において、前後に位置した表地１５と裏地１６と左右両側に位置したマチ片１７、１７の上方に形成した開口部１３にスライドファスナー１８を取付けて主ポケット部１２を形成し、該主ポケット部内の裏地１６の内壁面に、ランドセルの所有者の氏名や学年などを表記した記名板を収容する記名ポケット部２０と、キーホルダーやお守りなどの小物を吊下げる少なくとも１以上の吊下具３０を取付けると共に、前記主ポケット部１２の表地１５の表面側に取付けた装飾地３６の開口部３７にスライドファスナー３９を取付けて正面ポケット部３５を設けてなることを特徴とする。【選択図】図２
0003191791.tif 000002
【実用新案登録請求の範囲】
【請求項１】
主収納部（５）、副収納部（７）および前ポケット（１０）からなるランドセル本体（２）において、前後に位置した表地（１５）と裏地（１６）と左右両側に位置したマチ片（１７）、（１７）の上方に形成した開口部（１３）にスライドファスナー（１８）を取付けて主ポケット部（１２）を形成し、該主ポケット部内の裏地（１６）の内壁面に、ランドセル（１）の所有者の氏名や学年などを表記した記名板（２７）を収容する記名ポケット部（２０）と、キーホルダーやお守りなどの小物を吊下げる少なくとも１以上の吊下具（３０）を取付けると共に、前記主ポケット部（１２）の表地（１５）の表面側に取付けた任意輪郭形状の装飾地（３６）の開口部（３７）にスライドファスナー（３９）を取付けて正面ポケット部（３５）を形成してなることを特徴とするランドセル用前ポケット。
【請求項２】
前記記名ポケット部（２０）は、上方に記名板（２７）を出し入れする開口部（２５）を設けた任意輪郭形状のポケット地（２１）の正面に表示窓部（２２）を形成し、該表示窓部の内側に透明または半透明な窓板（２３）を取付けてなることを特徴とする請求項１記載のランドセル用前ポケット。
【請求項３】
前記記名ポケット部（２０）を構成するポケット地（２１）は、矩形、ハート型または動物、植物などの輪郭形状からなることを特徴とする請求項２記載のランドセル用前ポケット。
【請求項４】
前記吊下げ具（３０）は、Ｕ字形に折り曲げた吊下帯部（３１）の下端に支持環（３２）を取付けて前記記名ポケット部（２０）の片側または両側に取付けてなることを特徴とする請求項１記載のランドセル用前ポケット。
【請求項５】
前記正面ポケット部（３５）を構成する装飾地（３６）は、動物、植物、乗物などの各種図形の輪郭形状からなり、該装飾地の表面にリボンや花柄などの図形を表記した模様部（３８）を有してなることを特徴とする請求項１記載のランドセル用前ポケット。  
【考案の詳細な説明】
【技術分野】
【０００１】
本考案は、ランドセルを構成する前ポケットの改良に関するものである。
【背景技術】
【０００２】
ランドセルは、教科書やノートなどを収納する主収納部と各種教材を収容する副収納部と小物などを収容する前ポケットを皮革または合成皮革などにより形成し、前記前ポケットは、収容物の落下や収容した収容物の紛失などを防止するための開口部にスライドファスナーを取付けて開閉可能に形成し、前板部の中央に設けた表示窓部は、裏面にランドセル使用者の名前、学年、組などを表記した記名板を収納するポケット部を設けてある。
【０００３】
したがって、ランドセルの前ポケットに関する発明、考案の多くは、前記開口部を素早く自動的に開けるための付勢手段を設けたものや、前ポケットの開口部に取付けたスライドファスナーの両端にマチ部を設けて開口部の全長より長くすることにより広く開口することができるものなどが知られている。
【先行技術文献】
【特許文献】
【０００４】
【特許文献１】特開２００５−３４２０１３号
【特許文献２】実用新案登録第３１３９１６５号
【０００５】
前記前ポケット部は、いずれも正面に学童の名前やクラスを表記した記名板を表示する記名窓部を設けてあることから、ランドセルの蓋板を開けるだけで、簡単に学童の個人情報を入手できる。また、左右両側マチ部の上半分と上面とを大きく広げて形成した開口部にスライドファスナーを取付けて収容物の出し入れを容易にしてあるが、主収納室や副収納室に比べ開口部が狭く深いため、小物や薄いものを収容した場合に探すが大変である。また、ポケットの底に収容した目的物を探す場合、一旦収容物を取り出してからでないと目的のものを探すことができないなど不便な場合があるなどの問題点を有している。
【考案の概要】
【考案が解決しようとする課題】
【０００６】
本考案が解決しようとする課題は、前ポケット部の正面側に斬新なデザインの装飾部を設けてランドセルの高級感を向上させ、且つ、前ポケットの内部に吊下げ具と学童の名前やクラスを表記した記名板を収容する記名ポケット部を設けて外部から見えなくして個人情報の流失を防止すると共に、ポケット内の小物を整理整頓し、また、収容物の取り出しを容易にすることを目的とする。
【課題を解決するための手段】
【０００７】
上記課題を達成するために本考案は、主収納部５、副収納部７および前ポケット１０からなるランドセル本体２において、前後に位置した表地１５と裏地１６と左右両側に位置したマチ片１７、１７の上方に形成した開口部１３にスライドファスナー１８を取付けて主ポケット部１２を形成し、該主ポケット部内の裏地１６の内壁面に、ランドセル１の所有者の氏名や学年などを表記した記名板２７を収容する記名ポケット部２０と、キーホルダーやお守りなどの小物を吊下げる少なくとも１以上の吊下具３０を取付けると共に、前記主ポケット部１２の表地１５の表面側に取付けた任意輪郭形状の装飾地３６の開口部３７にスライドファスナー３９を取付けて正面ポケット部３５を形成してなることを特徴とする。また、前記記名ポケット部２０は、上方に記名板２７を出し入れする開口部２５を設けた任意輪郭形状のポケット地２１の正面に表示窓部２２を形成し、該表示窓部の内側に透明または半透明な窓板２３を取付けてなることを特徴とする。さらに、前記記名ポケット部２０を構成するポケット地２１は、矩形、ハート型または動物、植物などの輪郭形状からなることを特徴とする。さらにはまた、前記吊下げ具３０は、Ｕ字形に折り曲げた吊下帯部３１の下端に支持環３２を取付けて前記記名ポケット部２０の片側または両側に取付けてなることを特徴とする。また、前記正面ポケット部３５を構成する装飾地３６は、動物、植物、乗物などの各種図形の輪郭形状からなり、該装飾地の表面にリボンや花柄などの図形を表記した模様部３８を有してなることを特徴とする。  
【０００８】
したがって、前ポケット１０は、上方から出し入れする開口部１３を有した主ポケット部１２と、該主ポケット部内に設けた記名ポケット部２０と、正面側の表地１５に設けた開口部３７から出し入れをする正面ポケット部３５をそれぞれ設けたことにより、収容物に合わせて分別して各ポケットに整理よく収納することにより収容物の紛失を防止すると共に出し入れを容易にすることができる。また、記名ポケット部２５を主ポケット部１２の内部に設けたことにより、外部から記名板２７を見ることができないので個人情報を保護することができる。さらに主ポケット部１２の内部に吊下げ具３０を設けたことにより、ポケット内を整理することができるのでキーホルダーなどの小物がすぐに取り出せ、また、紛失を防止することができる。さらにはまた、正面に設けた正面ポケット部３５の装飾地３６を学童が興味を引く斬新な輪郭形状のデザインにすることにより、ランドセルの購買意欲を増進させることができる。
【図面の簡単な説明】
【０００９】
【図１】図１は蓋板を開いたランドセルの斜視図である。
【図２】図２は前ポケットの開口部を開いた状態の拡大斜視図である。
【図３】図３は前ポケットの中央横断面図である。
【図４】図４は前ポケットの中央縦断面図である。
【図５】図５は図４の要部拡大断面図である。
【考案を実施するための形態】
【００１０】
本考案の実施の形態を図面に基づいて説明すると、図１は蓋板を開いたランドセルの斜視図、図２は前ポケットの開口部を開いた状態の拡大斜視図、図３は前ポケットの中央横断面図、図４は前ポケットの中央縦断面図、図５は図４の要部拡大断面図である。ランドセル１は、天然皮革または合成皮革などにより形成されたランドセル本体２と、該ランドセル本体２の上面全体を覆う蓋板４２（かぶせ）とにより形成してある。前記ランドセル本体２は、教科書やノートを収納する主収納部５と、各種教材などを収容する副収納部７と各種収容物などを収納する前ポケット部１０とにより構成されている。
【００１１】
前記前ポケット１０は、図２、３に示すごとく、上面に設けた開口部１３から出し入れする主ポケット部１２と、該主ポケット部の内側に設けた記名ポケット部２０と、表地１５の表面側に設けた正面ポケット部３５をそれぞれ独立した開口部１３、２５、３７を設けて収容物を分別して整理よく収納可能に形成してある。
【００１２】
前記主ポケット部１２は、図２、３、４に示すごとく、前後方向に位置する表地１５と裏地１６と、左右両側に位置するマチ部１７、１７とにより形成し、前記表地１５と裏地１６とマチ部１７、１７の上縁に形成した開口部１３にマチ帯片１４と補強芯部１９を介してスライドファスナー１８を取付けて開閉可能に形成してある。
【００１３】
主ポケット部１２は、左右両側マチ部１７、１７の上半分を大きく開口したことにより開口部１３を広く開けることができるので、内部に取付けた記名ポケット部２０や吊下げ具３０へ収納する収容物の出し入れを容易にすることができる。また、開口部１３にスライドファスナー１８を取付けて開閉可能に形成したことにより、収容物が落下して紛失するのを防止することができ、さらに、内部に設けた記名ポケット部２０を外部から簡単に見ることができないので、記名ポケット部２０に収納した記名板２７に表記した学童の個人情報を保護することができる。
【００１４】
前記記名ポケット部２０は、任意輪郭形状をしたポケット地２１と、該ポケット地の表面側に設けた表示窓部２２と、該表示窓部の内側に取付ける透明または半透明な窓板２３からなり、前記ポケット地２１の両側と下辺を前記裏地１６に縫着し、上方に設けた開口部２５から記名板２７を出し入れ可能に形成してある。前記ポケット地２１の輪郭形状は、学童が興味を示す矩形、正方形またはハート形さらには漫画やアニメーションのキャラクターなどを形成してある。
【００１５】
、
前記記名板２７は、合成樹脂板またはボール紙に合成樹脂材を含浸させて圧縮成形した板材などを所定の大きさに切断してなり、ボール紙に合成樹脂材を含浸させた板材を使用することにより、安価で折れ曲がるのを防止でき安心して使用することができる。また、記名板２７は、表側に設けた記名部（図示せず）にランドセルの持主である学童の名前、学年、組などを表記し、学童が進級するごとに新しいものに交換可能に形成してある。
【００１６】
前記吊下具３０は、図２、３に示すごとく、主ポケット部１２の内部で裏地側の壁面に取付けるＵ字状に折り曲げた吊下帯地３１と、該吊下帯地に吊下げる吊下環３３とからなり、吊下環３３を下げた吊下帯地３１の上方を前記裏地１６の壁面に取付けてある。
【００１７】
この吊下具３０は、前記表示ポケット部２０の片側または両側に取付け可能に形成してある。したがって、主ポケット１２内部に収納するキーホルダーやお守りなどの小物を吊下げて他の収容物と混ざって分からなくなるのを防止することができる。また、前記吊下げ具３０に使用する吊下環３３は、周知のＤ環やなす環を使用することにより、収容する小物の着脱が容易で、製造コストも安価で経済的である。
【００１８】
正面ポケット部３５は、図１、５に示すごとく、表地１５の表面に装飾地３６の周縁を縫着して内部を袋状に形成し、該装飾地の上方に設けた開口部３７にスライドファスナー３９を取付けて開閉可能に形成してある。
【００１９】
この正面ポケット部３５は、開口部３７の幅方向を長尺にしたことにより薄厚で幅広なメモ用紙や紙幣などの紙類を効率的に収容することができる。また、開口部３７にスライドファスナー３９を取付けて開閉可能に形成したことにより、内部に収納した収納物を紛失したり落下したりするのを防止することができる。
【００２０】
前記装飾地３６は、輪郭形状を学童の興味を引く動物、植物、乗り物などの形状に形成することにより、学童がランドセルへの興味を示し購買意欲を増進させることができる。
【００２１】
前記装飾地３６の表面に設けた模様部３８は、児童の興味を引くハート図形、リボン図形または花柄図形さらには動物や文字などの図形を表記することにより、ランドセルに高級感を生じさせることができる。
【００２２】
以下、本考案の実施形態の作用について説明すると、ランドセル１を構成するランドセル本体２の前ポケット１０は、上方から出し入れする開口部１３を有した主ポケット部１２と、該主ポケット部の内部に設けた記名ポケット部２０と、表地２１の正面側に設けた正面ポケット部３５からなり、前ポケット１０に収納する収容物の目的にあわせて分別して収納することができるので収容物の整理整頓ができ、且つ、小物などの紛失を防止することができる。
【００２３】
主ポケット部１２は、内部の裏地１６の壁面に記名ポケット部２０を設けて外部から見えなくすることにより、ランドセル１の蓋板４２を開けただけでは記名板２７が見えないので学童の個人情報を保護することができる。
【００２４】
さらに、裏地１６の内壁面に吊下げ具３０を記名ポケット部２０の片側または両側に取付けることにより、キャラクター人形のキーホルダーやお守りなどを吊下げることにより、主ポケット部１２内がゴチャゴチャにならずに整理することができる。
【００２５】
記名ポケット部２０は、学童の個人情報を保護するだけでなく、ポケット地２１の輪郭形状をハート型や動物図形などの任意形状に形成することにより、個性的でインパクトのあるランドセルを提供することができる。
【００２６】
正面ポケット部３５は、前ポケット１０の前側の正面に個性的な輪郭形状の装飾地３６取付けることにより、学童にインパクトをあたえて興味を示すことにより、ランドセル１の購買意欲を増進させることができる。
【００２７】
また、正面ポケット部３５は全体を薄厚に形成したことにより、内部にメモ用紙や紙幣などの紙類を効率的に収容することができる。さらに、開口部３７にスライドファスナー３９を取付けて開閉可能に形成したことにより、収容物の紛失や落下を防止することができる。
【符号の説明】
【００２８】
１    ランドセル
２    ランドセル本体
５    主収納部
７    副収納部
１０    前ポケット
１２    主ポケット部
１３    開口部
１５    表地
１６    裏地
１７    マチ片
１８    スライドファスナー
２０    記名ポケット部
２１    ポケット地
２２    表示窓部
２３    窓板
２５    開口部
２７    記名板
３０    吊下具
３１    吊下帯部
３３    吊下環
３５    正面ポケット部
３６    装飾地
３７    開口部
３８    模様部
３９    スライドファスナー
４２    蓋板
【図１】
0003191791.tif 000003
【図２】
0003191791.tif 000004
【図３】
0003191791.tif 000005
【図４】
0003191791.tif 000006
【図５】
0003191791.tif 000007